(57)【要約】      （修正有）【課題】手帳型スマートフォンカバーの透明保護シートの貼り方及び芯材の配置を工夫する事で耐久性及び耐水性を向上させる。【解決手段】手帳型スマートフォンカバー作成時に、装飾表部材の表面に透明保護シートを装飾部材の縦サイズ、横サイズより大きいサイズの透明保護シートを貼り付け、透明保護シートに粘着材が塗布された面の粘着を防止する為に予め貼られていた剥離紙を一度剥がし、装飾部材からはみ出た部分に、再度貼り付け、装飾部材からはみ出た透明保護シートを芯材として用いている厚紙に折り曲げて貼り付け、透明保護シートを貼り付ける際に厚紙からはみ出ないように透明保護シートの貼り付け部分を厚紙のサイズより小さくカットし直して、表表紙に対応する厚紙と背表紙に対応する厚紙を配置する際に一定の隙間を設け、背表紙に対応する厚紙と裏表紙に対応する厚紙を配置する際に一定の間隔を設ける。【選択図】図１
2020129737.tif 000002
【特許請求の範囲】
【請求項１】
スマートフォンケースとほぼ等しい大きさの表表紙部及び裏表紙部と、前記表表紙部及び前記裏表紙部に接続された四方の側面部とを有する１つ又は２つの直方体の箱型のパッケージを用いて作成される手帳型スマートフォンカバーであって、
前記表表紙部と、
前記スマートフォンケースが有するカメラ用穴に対応する位置にカメラ用穴を有し、内側の面に前記スマートフォンケースが貼り付けられる前記裏表紙部と、
前記表表紙部の内側の面が前記裏表紙部の内側の面に対向し、前記表表紙部を開閉可能に前記裏表紙部に接続する前記側面部と、
を備えた手帳型スマートフォンカバー。
【請求項２】
請求項１記載の手帳型スマートフォンカバーであって、
前記表表紙部、前記裏表紙部及び前記側面部の表側全面、裏側の一部、又は、全面にシート状の樹脂が貼付されている事を特徴とする手帳型スマートフォンカバー。
【請求項３】
請求項２記載の手帳型スマートフォンカバーであって、
前記表表紙部、前記裏表紙部、前記側面部に対応する夫々一定の厚さの芯材を有する事を特徴とする手帳型スマートフォンカバー。
【請求項４】
請求項１から３のいずれか１項に記載の手帳型スマートフォンカバーであって、
前記表表紙部と前記裏表紙部にそれぞれベルトを有し、それら一対のベルトで前記表表紙部と前記裏表紙部を閉じた状態を保持する事を特徴とする手帳型スマートフォンカバー。
【請求項５】
スマートフォンケースとほぼ等しい大きさの表表紙部及び裏表紙部と、前記表表紙部及び前記裏表紙部に接続された四方の側面部とを有する１つ又は２つの直方体の箱型のパッケージを用いて作成される手帳型スマートフォンカバーの製造方法であって、
前記１つ又は２つのパッケージから、前記表表紙部と、前記表表紙部に接続される四方の前記側面部とを有する表側部材を作成する工程と、
前記１つ又は２つのパッケージから、前記裏表紙部と、前記裏表紙部に接続される四方の前記側面部とを有する裏側部材を作成する工程と、
前記表側部材と前記裏側部材とを接続部材である四方の前記側面部によって接続する工程と、
前記裏表紙部の内側の面にスマートフォンケースを配置して前記スマートフォンケースが有するカメラ用穴に対応する位置にマークして前記裏表紙部にカメラ用穴を形成する工程と、
を含む手帳型スマートフォンカバーの製造方法。
【請求項６】
請求項５記載の手帳型スマートフォンカバーの製造方法であって、
前記表側部材に、それより大きめの予め粘着性物質が塗布されているシート状の樹脂の剥離紙を剥がして貼り付け、前記シート状の樹脂がはみ出た部分には、再度剥離紙を貼り付ける事を特徴とする手帳型スマートフォンカバーの製造方法。
【請求項７】
請求項6記載の手帳型スマートフォンカバーの製造方法であって、
前記表側部材と前記シート状の樹脂が一体形成された状態で前記スマートフォンのカメラ用の穴を開口し、その穴に合わせて一定の厚さを持った芯材にも前記スマートフォンの前記カメラ用の穴をくり抜き、更に芯材を前記表側部材の裏面に貼り付ける事を特徴とする手帳型スマートフォンカバーの製造方法。
【請求項８】
請求項7記載の手帳型スマートフォンカバーの製造方法であって、
前記芯材に前記表側部材とシート状の樹脂の右側部分を前記カメラ用の穴を避けるように一部切り取った後貼り付け、次に、上側部分を前記カメラ用の穴を避けるように一部切り取った後貼り付け、次に、下側部分を貼り付け、最後に、左側部分を左側部分の上辺と下辺を切り取り若干幅を狭くした状態で貼り付ける事を特徴とする手帳型スマートフォンカバーの製造方法。
【請求項９】
請求項5から8のいずれか１項に記載の手帳型スマートフォンカバーの製造方法であって、
前記表側部材と前記裏側部材にそれぞれベルトを固定する際に、磁力で付いた状態の一対のベルトの磁石が内蔵されている側のベルトを前記表側部材の裏側の一辺の真ん中に貼り付け、鉄板が内蔵されている側のベルトを前記裏側部材を閉じるようにして前記裏側部材の裏側の一辺の真ん中に貼り付け、その後、前記裏側部材の裏側にスマートフォンケースを貼り付け、前記表側部材の裏側に一体形成したポケット部を貼り付ける事を特徴とする手帳型スマートフォンカバーの製造方法。
【請求項１０】
一面が解放された直方体を展開し長方形のシート状にした材料及び平面状の材料からスマートフォンケースとほぼ等しい大きさの表面部装飾部材及び裏面部装飾部材と、前記表面部装飾部材及び前記裏面部装飾部材に接続された四方の背面部装飾部材を切り出す手帳型スマートフォンカバーの製造方法であって、
表表紙部と、四方の側面部に接続される５つの面を有する表側部材を作成する工程と、
裏表紙部と、四方の前記側面部に接続される５つの面を有する裏側部材を作成する工程と、前記表側部材と前記裏側部材とを接続部材である四方の前記側面部によって接続する工程と、
前記裏表紙部の内側の面にスマートフォンケースを配置して前記スマートフォンケースが有するカメラ用穴に対応する位置にマークして前記裏表紙部にカメラ用穴を形成する工程と、
を含む手帳型スマートフォンカバーの製造方法。
【請求項１１】
請求項10記載の手帳型スマートフォンカバーの製造方法であって、
前記表側部材に、それより大きめの予め粘着性物質が塗布されているシート状の樹脂の剥離紙を剥がして貼り付け、前記シート状の樹脂がはみ出た部分には、再度剥離紙を貼り付ける事を特徴とする手帳型スマートフォンカバーの製造方法。
【請求項１２】
請求項11記載の手帳型スマートフォンカバーの製造方法であって、
前記表側部材と前記シート状の樹脂が一体形成された状態で前記スマートフォンのカメラ用穴を開口し、その穴に合わせて一定の厚さを持った芯材にも前記スマートフォンの前記カメラ用の穴をくり抜き、更に芯材を前記表側部材の裏面に貼り付ける事を特徴とする手帳型スマートフォンカバーの製造方法。
【請求項１３】
請求項12記載の手帳型スマートフォンカバーの製造方法であって、
前記芯材に前記表側部材とシート状の樹脂の右側部分を前記カメラ用の穴を避けるように一部切り取った後貼り付け、次に、上側部分を前記カメラ用の穴を避けるように一部切り取った後貼り付け、次に、下側部分を貼り付け、最後に、左側部分を左側部分の上辺と下辺を切り取り若干幅を狭くした状態で貼り付ける事を特徴とする手帳型スマートフォンカバーの製造方法。
【請求項１４】
請求項１0から1３のいずれか１項に記載の手帳型スマートフォンカバーの製造方法であって、
ポケット部を前記表側部材の裏側に貼り付ける際に、外側の辺の中心部分は、両面テープを貼らないで隙間を開け、その隙間に前記裏側部材の裏側に貼り付けられたベルトを差し込む事で表表紙と裏表紙を閉じた状態を保持するようにする事を特徴とする手帳型スマートフォンカバーの製造方法。
【発明の詳細な説明】
【技術分野】
【０００１】
本発明は、人力によって折り曲げることが可能な素材を用いた手帳型のスマートフォンカバー、及びそれを作成する製造方法に関するものである。
【背景技術】
【０００２】
一般的に、手帳型スマートフォンカバーは皮革、合成皮革によって製造されている。近年、それらの軽量化、最適化が望まれ、和紙や防水加工のされた紙、皮革の表面形状と同様の表面形状を有した樹脂が貼り付けられた紙等、皮革や合成皮革よりも厚さが薄く軽量な材料での製造方法が注目されている。
【０００３】
また、環境保護の観点から資源の再利用が盛んになってきており、そのままでは、捨ててしまうチョコレートの箱や手提げ袋から手帳型スマートフォンケース、財布、小銭入れ、ペンケース、ノートパソコン入れ、パスポート入れ等の実用的な小物を作る無価値な物から価値の有る物を作るアップサイクルが普及し始めている。
【０００４】
【先行技術文献】
【特許文献】
【０００５】
【特許文献１】特開2016-201778号公報
【０００６】
【発明の概要】
【発明が解決しようとする課題】
【０００７】
解決しようとしている問題点は、スマートフォンケースとほぼ等しい大きさの直方体の箱型のパッケージを用いた手帳型スマートフォンカバーの耐久性、耐水性が低下する点であり、手帳型スマートフォンカバーの製造時に耐久性、耐水性を向上させる目的で使用している透明保護シートの貼り方、耐久性を向上させる目的で使用している厚紙の配置する方法を工夫する事で耐久性、耐水性を向上させる事を課題とする。
【課題を解決するための手段】
【０００８】
上記課題を達成するため、本発明は、スマートフォンケースとほぼ等しい大きさの表表紙部及び裏表紙部と、前記表表紙部及び前記裏表紙部に接続された四方の側面部とを有する１つ又は２つの直方体の箱型のパッケージを用いて作成される手帳型スマートフォンカバーであって、前記表表紙部と、前記スマートフォンケースが有するカメラ用穴に対応する位置にカメラ用穴を有し、内側の面に前記スマートフォンケースが貼り付けられる前記裏表紙部と、前記表表紙部の内側の面が前記裏表紙部の内側の面に対向し、前記表表紙部を開閉可能に前記裏表紙部に接続する前記側面部と、を備えた手帳型スマートフォンカバーを提供する。
また、上記課題を達成するため、本発明は、スマートフォンケースとほぼ等しい大きさの表表紙部及び裏表紙部と、前記表表紙部及び前記裏表紙部に接続された四方の側面部とを有する１つ又は２つの直方体の箱型のパッケージを用いて作成される手帳型スマートフォンカバーの製造方法であって、前記１つ又は２つのパッケージから、前記表表紙部と、前記表表紙部に接続される四方の前記側面部とを有する表側部材を作成する工程と、前記１つ又は２つのパッケージから、前記裏表紙部と、前記裏表紙部に接続される四方の前記側面部とを有する裏側部材を作成する工程と、前記表側部材と前記裏側部材とを接続部材である四方の前記側面部によって接続する工程と、前記裏表紙部の内側の面にスマートフォンケースを配置して前記スマートフォンケースが有するカメラ用穴に対応する位置にマークして前記裏表紙部にカメラ用穴を形成する工程と、を含む手帳型スマートフォンカバーの製造方法を提供する。
【発明の効果】
【０００９】
本発明の手帳型スマートフォンカバー及びその製造方法は、装飾部材よりも大きめの透明保護シートを厚紙の内側の平らな部分に貼り付けるので透明保護シートの貼り付け耐久性、手帳型スマートフォンカバーとしての耐久性、耐水性が向上すると言う利点がある。
【図面の簡単な説明】
【００１０】
【図１】本製造方法で表側の面を構成する表表紙部を説明する図
【図２】本製造方法で裏側の面を構成する裏表紙部を説明する図
【図３】本製造方法で表表紙部と裏表紙部を並べて配した図
【図４】本本製造方法で背面を構成する背面部装飾部材を説明する図
【図５】本製造方法で表面部装飾材料と裏面部装飾材料を並べ、更に背面部装飾材料を接続部として一体構成した装飾部を説明する図
【図６】装飾部材に透明保護シートを貼り付けた状態を説明する図
【図７】一度剥離紙を剥がした透明保護シートに再度剥離紙を貼り付けた状態を説明する図
【図８】各装飾部材の裏に厚紙を配した状態を説明する図
【図９】本実施例の手帳型スマートフォンカバーに貼り付けるスマートフォンケースを説明する図
【図１０】カメラ用の穴に沿ってボールペン等で跡を付けた状態を説明する図
【図１１】デザインカッターで４箇所切り込みを入れた状態を説明する図
【図１２】裏面装飾部材の裏面にカッターの刃の跡が付いた状態を説明する図
【図１３】裏面装飾部材の裏面にカメラの穴の形状を描いた状態を説明する図
【図１４】カメラの穴の形状に沿ってボールペン等で印を付けた状態を説明する図
【図１５】カメラの穴の形状に沿って厚紙をくり抜いた状態を説明する図
【図１６】裏面装飾部材に付けたカメラの穴部の印を拡大した状態を説明する図
【図１７】円弧部分に放射状に切り込みを入れた状態を説明する図
【図１８】切り込みを入れて三角形、四角形になった部分を内側に折り曲げた状態を説明する図
【図１９】装飾部材に厚紙を張り合わせた状態を説明する図
【図２０】透明保護シートの右側部分と裏面部装飾部材の一部を厚紙に貼り付けた状態を説明する図
【図２１】透明保護シートの上側部分と装飾部材の一部を厚紙に貼り付けた状態を説明する図
【図２２】透明保護シートの下側部分と装飾部材の一部を厚紙に貼り付けた状態を説明する図
【図２３】透明保護シートの上部と下部を一定の幅でカットした状態を説明する図
【図２４】透明保護シートの左側部分を厚紙に貼り付けた状態を説明する図
【図２５】表表紙用ベルト、裏表紙用のベルト部の製作方法を説明する図
【図２６】多目的ポケットの製作方法を説明する図
【図２７】小型ポケットの製作方法を説明する図
【図２８】ポケット用台紙の製作方法を説明する図
【図２９】ポケット用台紙に多目的ポケットと小型ポケットを貼り付けた状態を説明する図
【図３０】表紙部にベルトを取り付けた状態を説明する図
【図３１】手帳型スマートホンカバーにスマートホンケースを取り付けた状態を説明する図
【図３２】手帳型スマートホンカバーにポケット用台紙を取り付けた状態を説明する図
【図３３】第二の実施例で表面部装飾部材と裏面部装飾部材を並べて配した図
【図３４】多目的ポケット部材全面部の加工方法を説明する図
【図３５】多目的ポケット部材前面部に多目的ポケット部材背面部を貼り付けた状態を説明する図
【図３６】多目的ポケット部材前面部に多目的ポケット部材背面部を貼り付け折った状態を説明する図
【図３７】多目的ポケット前面部材加工後両サイドを山折りし、上部を折った状態を説明する図
【図３８】下にはみ出した部分を折り、左右に山折した間に差し込んだ状態を説明する図
【図３９】サイズの違う多目的ポケットを組み合わせて完成したポケット部を説明する図
【図４０】テーパー状ベルト部の作り方を説明する図
【図４１】表表紙部と多目的ポケット部固定状態で隙間を作る為の多目的ポケット部の両面テープの貼り方を説明する図
【図４２】表表紙裏部に多目的ポケットを貼り付けた状態を説明する図
【図４３】隙間にテーパー状のベルト部を差し込み折り曲げ、両面テープを貼った状態を説明する図
【図４４】裏表紙裏面部にテーパー状ベルト部が貼り付け固定された状態を説明する図
【図４５】裏表紙裏面部にスマートフォンケースを貼り付け完成した状態を説明する図
【発明を実施するための形態】
【００１１】
【実施例１】
【００１２】
図１は、本製造方法で直方体構造物を展開し、一つの面及び４箇所の糊付け部を除去して５つの面にした状態の表側の面を構成する表面部装飾部材10を示した図である。
【００１３】
図２は、本製造方法で直方体構造物を展開し、一つの面及び４箇所の糊付け部を除去して５つの面にした状態の表側の面を構成する裏面部装飾部材11を示した図である。
【００１４】
図３は、表面部装飾部材10を向かって右側に配置し、裏面部装飾部材11を向かって左側に並べて配した図である。
【００１５】
図４は、本製造方法で背側の面を構成する四方の背面部装飾部材12である。
【００１６】
図５は、本製造方法で表面部装飾部材10を向かって右側、裏面部装飾部材11を向かって左側に配置し、背面部装飾部材12を接続部として一体構成した装飾部を説明する図である。手帳型スマートフォンカバーは、スマートフォンケースとほぼ等しい大きさの表表紙部2及び裏表紙部3と、表表紙部2及び裏表紙部3に接続された四方の側面部4とを有する１つ又は２つの直方体の箱型のパッケージを用いて作成されるものである。
【００１７】
次に一体構成した表紙部1にその表紙部1より面積が大きい透明保護シート13を貼り付けた状態を図６に示す。表紙部が全く存在しない部分は剥離紙14-1を貼ったままにしておく。
【００１８】
次に、表紙部から透明保護シートがはみ出ている部分に、剥がした剥離紙14-2、14-3、14-4を再度貼り付けた状態を図７に示す。以降の作業時に透明保護シート13の粘着部材が意図しない所に張り付かないようにするためである。
【００１９】
次に、表面部装飾部材10の裏側に厚紙15-1、裏面部装飾部材11の裏側に厚紙15-2、背面部装飾部材12の裏側に厚紙15-3を配置した状態を図８に示す。配置のコツは、厚紙15-1と厚紙15-3の間、厚紙15-2と厚紙15-3の間に厚紙の厚さ分の隙間を開ける事である。
【００２０】
本実施例の手帳型スマートフォンカバーに貼り付けるスマートホンケース16を上部から見た状態を図９に示す。必然的に手帳型スマートフォンカバーは、スマートフォンケース16よりも一回り大きいサイズとなる。表面部装飾材部材10は、表側部材の一例である。また、表面部装飾材部材10は、側面部を除いた部分が表表紙部2の一例である。裏面部装飾部材11は、裏側部材の一例である。また、裏面部装飾部材11は、側面部を除いた部分が裏表紙部3の一例である。
表面部装飾材部材10及び裏面部装飾部材11は、それぞれスマートフォンケースとほぼ等しい大きさであればよい。例えば、表面部装飾材部材10及び裏面部装飾部材11は、それぞれスマートフォンケースよりも大きくてもよい。また、表面部装飾材部材10及び裏面部装飾部材11は、それぞれ４つの側面部を接続して展開した状態で、スマートフォンケースより大きくてもよい。
【００２１】
次に、裏面部装飾部材11の裏側に配置した厚紙15-2の上に、上下左右の余白が均等になるようにスマートフォンケース16を配置し、更に、カメラ用の穴に沿ってボールペンや鉛筆等で穴の形に印を付けた状態を図10に示す。
17は、厚紙に付けたカメラ用穴の印である。
【００２２】
更に、厚紙15-2とスマートフォンケース16の位置関係をそのままに保った状態で、図11に太線で示す箇所に、デザインカッターの刃を厚紙15-2を貫通させて裏面部装飾部材11と厚紙15-2に切り込み18を４箇所入れる。
【００２３】
その後、スマートフォンケース16、厚紙15-2を取り去ると図12に示すように裏面部装飾部材11の裏面に４箇所カッターの刃の跡の切り込み18が付いた状態になる。
【００２４】
更に、この４箇所の切り込み18にスマートフォンケースのカメラ用の穴を合わせボールペンや鉛筆等でカメラ用穴の淵に沿って印を付けると図13のように裏面部装飾部材11に付けたカメラ用穴の印19が付いた状態になる。
【００２５】
図14は、カメラ用の穴に沿ってボールペンや鉛筆等で印を付けた、厚紙15-2に付けたカメラ用穴の印19を示している。
【００２６】
その穴の形状の印に従ってデザインカッターで厚紙15-2をくり抜くと図15に示すように、厚紙15-2からくり抜いたカメラ用穴20ができる。
【００２７】
次に、図13に示した裏面部装飾部材11に付けたカメラ用穴20の開口の仕方を説明する。図16に図13に示した裏面部装飾部材11に付けたカメラ用の穴部18の拡大図を示す。先ず、デザインカッター等でカメラ用の穴を縦に２分割するように直線状に縦の切り込み21を入れる。次に、円弧から直線に変わる変曲点２点を繋ぐように横方向に直線状に横の切り込み22-1と22-2を入れる。
【００２８】
次に、図17に示すように上向きの半円を12分割するように放射状に切り込み23を入れる。同様に下向きの半円を12分割するように放射状に切り込み23を入れる。
【００２９】
更に、図18に示すように、裏面部装飾部材に付けたカメラ用穴の印19を折り返しの辺として、四角形の部分、三角形状の部分を内側に開き、両面テープ等で裏面部装飾部材11に貼り付け固定する。以上で、厚紙15-2、裏面部装飾部材11にカメラ用の穴を開ける工程が完了する。
【００３０】
次に、再度、裏面部装飾部材11の上に、厚紙15-2を載せ貼り合わせる位置を確認する。この時、図19に示すように裏面部装飾部材11に開けたカメラ用穴と厚紙15-2に開けたカメラ用穴を合わせて両面テープで固定する。同様に、厚紙15-1を表面部装飾部材10、厚紙15-3を背面部装飾部材12に両面テープで貼り合わせる。
【００３１】
次に、一体化した透明保護シートと装飾部材を厚紙に貼り合わせる工程を説明する。先ず、図20に示すように透明保護シート13の右側部分と裏面部装飾部材11の一部を厚紙15-2に両面テープ及び透明保護シートに予め塗布されている粘着物質で貼り合わせる。この時、カメラ穴部を塞がないように一体化した透明保護シートと装飾部材の該当する部分を切り取って貼り付ける。
【００３２】
次に、透明保護シート13の上側部分と表面部装飾部材10の一部を厚紙15-1、裏面部装飾部材11の一部を厚紙15-2、背面部装飾部材12の一部を厚紙15-3に貼り付ける。図21に、その状態を示す。この時、カメラ穴部を塞がないように一体化した透明保護シートと装飾部材の該当する部分を切り取る。
【００３３】
次に、透明保護シート13の下側部分と表面部装飾部材10の一部を厚紙15-1、裏面部装飾部材11の一部を厚紙15-2、背面部装飾部材12の一部を厚紙15-3に貼り付ける。図22に、その状態を示す。
【００３４】
次に、透明保護シート13の向かって左側部分と装飾部材を厚紙に貼り付けるのだが、その前に、厚紙に貼り付けた際ズレ等が発生して透明保護シートが厚紙からハミ出さないように、図23に示すように左側の透明保護シートの上部と下部を一定の幅でカットする。
【００３５】
残った剥離紙を剥がし左側の透明保護シートを厚紙に貼り付けると図24のような状態になる。以上で、透明保護シートを厚紙に貼り付ける行程が完了する。
【００３６】
次に、図25を用いて、手帳型スマートフォンカバーの表表紙と裏表紙を閉じた状態を保持する為のベルト部作成手順を説明する。先ず、表表紙用、裏表紙用のベルト部を作成する為に図25に示すように四角形のベルト用部材30を直方体構造物を展開し手帳型スマートフォンカバーの表表紙、裏表紙と背表紙を構成した残りの部材から２枚切り出す。次に、ベルト用部材を図で示すように点線で半分に折る。
【００３７】
次に、ベルト用部材を図25で示すように点線で半分に折る。更に、裏表紙側のベルト部材には、点線より上側の左端に四角形の鉄板31を置き、点線より下側半分全面に両面テープ32を貼り付け、両面テープの剥離紙を剥がし、点線で半分に折って貼り合わせ、裏表紙側ベルト34を完成させる。
【００３８】
次に、ベルト用部材を図25で示すように点線で半分に折る。更に、表表紙側のベルト部材には、点線より下側の右端に四角形の磁石33を置き、点線より上側半分全面に両面テープ32を貼り付け、両面テープの剥離紙を剥がし、点線で半分に折って貼り合わせ、表表紙側ベルト35を完成させる。
【００３９】
次に、裏表紙側ベルト34と表表紙側ベルト35を磁力で合わせた状態を横から見ると36のようになる。36の太線で示した線で紙面の向こう側に折った状態を上から見ると37のようになる。
【００４０】
次に、図26を用いて、多目的ポケットを作成する方法を説明する。先ず、直方体構造物から直方体構造物を展開し手帳型スマートフォンカバーの表表紙、裏表紙と背表紙、ベルト部を構成した残りの部材から多目的ポケット用部材40を切り出す。次に、多目的ポケット用部材40の灰色に塗りつぶされた部分を紙面の向こう側に織り込み、多目的ポケット41を構成する。
【００４１】
次に、図27を用いて、小型ポケットを作成する方法を説明する。ここで使う部材は、チョコレートが入っていた個装袋である。先ず、チョコレートの個装袋の上部をカットした状態50を作る。次に、個装袋の左右辺の上側１／３程度を上部から切れ目を入れ、手前側の面を紙面の向こう側に折り込んだ状態51を作る。次に、奥側の面を紙面の手前側に折り込んだ状態52を作る。最後に左右辺を紙面の向こう側に折り込んだ状態の小型ポケット53を作る。
【００４２】
次に、図28を用いて多目的ポケット41と小型ポケット53を貼り付けるポケット用台紙62の作成方法を説明する。
先ず、直方体構造物を展開し手帳型スマートフォンカバーの表表紙、裏表紙と背表紙、ベルト部、多目的ポケット部を構成した残りの部材からポケット用台紙部材１60-1、ポケット用台紙部材１60-2を切り出す。
次に、ポケット用台紙部材１60-1の端辺に両面テープ61を貼り、両面テープの剥離紙を剥がして、ポケット用台紙部材２60-2を貼り付け、ポケット用台紙62が完成する。
【００４３】
次に、ポケット用台紙62に多目的ポケット41、小型ポケットを貼り付けると図29で示すように多目的ポケット部が完成する。
【００４４】
次に、表紙部へのベルトの取り付け方法を説明する。図30に表紙部にベルトを取り付けた状態を示す。先ず、表表紙部裏70向かって左辺の高さの半分の位置と表表紙側ベルト35の高さの半分の位置を合わせて両面テープで固定する。次に、裏表紙部裏71向かって右辺の高さの半分の位置と表表紙側ベルト34の高さの半分の位置を合わせて両面テープで固定する。この状態で、表表紙と裏表紙を閉じると表表紙側ベルト35に内蔵された磁石33と裏表紙側ベルト34に内蔵された鉄板31が磁力でくっつき表表紙と裏表紙が閉じて固定された状態を保つ。
【００４５】
次に、裏表紙部裏71にスマートフォンケース16を取り付ける方法を説明する。図31は、裏表紙部裏71にスマートフォンケース16を取り付けた状態を示す図である。スマートフォンケース16の裏側に両面テープを貼り付け両面テープの剥離紙を剥がし、裏表紙部裏71に開けたカメラ用穴とスマートフォンケース16のカメラ用穴を合わせ貼り付ける。
【００４６】
最後に、表表紙部裏70にポケット用台紙62を取り付ける方法を説明する。図32は、表表紙部裏70にポケット用台紙62を取り付けた状態を示す図である。ポケット用台紙62の裏側に両面テープを貼り付け両面テープの剥離紙を剥がし、表表紙と裏表紙を閉じた状態で裏表紙側ベルト34とポケット用台紙62が干渉しないように貼り付ける。以上で、手帳型スマートフォンカバーが完成する。
【実施例２】
【００４７】
図33は、一面が解放された直方体を展開し長方形のシート状にした材料及び平面状の材料から長方形の部材を２個切り出し、一方を表表紙部装飾部材80として向かって右側に配置し、片方を裏表紙部装飾部材81として向かって左側に配置し、前記２個の長方形よりも幅の狭い背表紙部装飾部材82を貼り付けた状態を示した図であり、以降前記表表紙部装飾部材80、前記裏表紙部装飾部材81を前記背表紙部装飾部材82を接続部として一体化した部材を表紙部装飾部材と呼ぶ。
【００４８】
以降の製作方法である前期表紙部装飾部材への透明保護シートの貼り付け方法、前期表紙部装飾部材の裏側への厚紙の貼り付け方法、厚紙及び透明保護シートが貼り付けられた前期表紙部装飾部材へのスマートフォンカメラ用穴の開口方法に関しては、実施例１と同様なので説明を省略する。
【００４９】
次に、多目的ポケット部の製作方法に関して説明する。図34は、その製造方法の工程を示した図である。まず、一面が解放された直方体を展開し長方形のシート状にした材料及び平面状の材料から多目的ポケット前面部材90を切り出す。次に、上下を入れ替え裏返すと多目的ポケット前面部材の裏面91になる。この下辺に両面テープを貼り付け、両面テープの幅分両面テープに沿って谷折りする。次に、両面テープの剥離紙を剥がして折った線に従って折り貼り付ける。更に、上辺に平行に谷折りし折跡を付けると、多目的ポケット前面部材加工後92のようになる。
【００５０】
次に、一面が解放された直方体を展開し長方形のシート状にした材料及び平面状の材料から多目的ポケット前面部材加工後92を切り出し、多目的ポケット前面部材加工後92の上辺に沿って両面テープを貼って、多目的ポケット前面部材加工後92を図35に示すように貼り付ける。
【００５１】
次に、多目的ポケット前面部材90に付けた折れ線に従って折ると図36に示す状態になる。次に、図36に一点鎖線で示す線に従って山折に折る。
【００５２】
次に、入れる物の高さや、貼り付ける部位の高さに合わせて上側部分を折った状態を図37に示す。
【００５３】
更に、下側にはみ出した部分を折り、左右辺を折った間に差し込むと図38に示すようになる。左右辺の両方、或いは、片方のみを両面テープで貼り付ける事で多目的ポケットが完成する。
【００５４】
同様の作り方で、サイズ違いの多目的ポケットを作成して組み合わせた状態の完成した多目的ポケット部94を図39に示す。
【００５５】
図40を用いて、手帳型スマホカバーの表表紙と裏表紙を閉じた状態を保持する為のベルト部作成手順を説明する。
【００５６】
本実施例２では、手帳型スマホカバーの表表紙と表表紙の裏側に貼り付けた多目的ポケット部との隙間にベルト部を差し込む事で表表紙と裏表紙を閉じた状態を保持する。その為に、隙間に差し込み易いように先端がテーパー状になったベルトを作成する。その作成の方法を図40を用いて説明する。
【００５７】
一面が解放された直方体を展開し長方形のシート状にした材料及び平面状の材料から長方形の部材100を切り出す。長方形の部材100より右辺、上辺、下辺が若干大きめの透明保護シート101を貼り付ける。次に、透明保護シートのはみ出た部分の右辺、上辺、下辺を長方形の部材100に巻き付けるように貼り付けた状態102を作る。次に、透明保護シート101を貼り付け長方形の部材100の右辺を折り曲げた状態103を作る。次に、上辺右部、下辺右部を図に示すように斜めに折り曲げた状態104を作る。更に、点線で半分に折って両面テープで固定するとテーパー状のベルト部105が完成する。
【００５８】
次に、表表紙部と多目的ポケット部の隙間にテーパー状のベルト部105を差し込む構造の作り方を説明する。図41は、表表紙部と多目的ポケット部の隙間にテーパー状のベルト部105を差し込む構造を作る為の両面テープの貼り方を説明した図である。図41右側は、左側の多目的ポケット部94を上から見て透視した状態を示している。その状態で左辺は、上端下端から両面テープを同じ長さ分貼り付け、真ん中辺りは両面テープを貼らない。右辺、上辺、下辺は端辺に沿って両面テープを貼り付ける。このような両面テープの貼り方をする事で図41に示すように表表紙裏側に多目的ポケット部94を貼り付けると表表紙と多目的ポケット部の間にテーパー状のベルト部105を差し込む事が可能なテーパー状ベルト用隙間106を構成する事が可能である。
【００５９】
次に、テーパー状のベルト部105を裏表紙部の裏に貼り付ける貼り方を説明する。図43に示すように、隙間にテーパー状のベルト部105を差し込み折り曲げ、両面テープを貼り付ける。次に、両面テープの剥離紙を剥がした状態で裏表紙を閉じると裏表紙部裏にテーパー状のベルト部105が貼り付く。その様子を示したのが図44である。
【００６０】
最後に、図45に示すように、裏表紙部裏にスマートフォンケース16を貼り付けると本実施例２の手帳型スマートフォンカバーが完成した状態になる。
【産業上の利用可能性】
【００６１】
本発明の手帳型スマートフォンカバーの製造方法は、装飾部材よりも大きめの透明保護シートを厚紙の内側の平らな部分に貼り付けるので透明保護シートの貼り付け耐久性、手帳型スマートフォンカバーとしての耐久性、耐水性が向上すると言う利点があり、装飾部材の保護が必要となる財布、小銭入れ、ペンケース、ノート入れ、ノートパソコン入れ等様々な実用小物の製造方法に適用できる。
【符号の説明】
【００６２】
1…表紙部
2…表表紙部
3…裏表紙部
4…側面部
5…糊付け部
10…表面部装飾部材
10-1…表面部装飾部材上部
10-2…表面部装飾部材下部
10-3…表面部装飾部材右部
10-4…表面部装飾部材左部
11…裏面部装飾部材
11-1…裏面部装飾部材上部
11-2…裏面部装飾部材下部
11-3…裏面部装飾部材右部
11-4…裏面部装飾部材左部
12…背面部装飾部材
13…透明保護シート
14-1、14-2 、14-3、14-4…剥離紙
15-1、15-2、15-3…厚紙
16…スマートフォンケース
17…厚紙に付けたカメラ用穴の印
18…切り込み
19…裏面装飾部材に付けたカメラ用穴の印
20…厚紙からくり抜いたカメラ用穴
21… 縦の切り込み
22-1…横の切り込み1
22-2 …横の切り込み2
23…放射状の切り込み
30…ベルト用部材
31…鉄板
32…両面テープ
33…磁石
34…裏表紙側ベルト
35…表表紙側ベルト
36…横から見た表表紙側ベルトと裏表紙ベルトを着けた状態
37…上から見た表表紙側ベルトと裏表紙ベルトを着けた状態
40…多目的ポケット用部材
41…多目的ポケット
50…個装袋の上部をカットした状態
51…個装袋の手前側面１／３を折り込んだ状態
52…個装袋の奥側面１／６を折り込んだ状態
53…小型ポケット
60-1 ポケット台紙部材1
60-2…ポケット台紙部材2
61…両面テープ
62…ポケット用台
70…表表紙部裏
71…裏表紙部裏
80…表表紙部装飾部材
81…裏表紙部装飾部材
82…背表紙部装飾部材
90…多目的ポケット前面部材
91…多目的ポケット前面部材裏面
92…多目的ポケット前面部材加工後
93…多目的ポケット背面部材
94…多目的ポケット部
100…ベルト用部材
101…透明保護シート
102…透明保護シートの右辺、上辺、下辺を貼り付けたベルト用部材
103…右辺を折り曲げたベルト用部材
104…上辺右部、下辺右部を斜めに折り曲げたベルト用部材
105…テーパー状ベルト部
106…テーパー状ベルト用隙間
【図１】
2020129737.tif 000003
【図２】
2020129737.tif 000004
【図３】
2020129737.tif 000005
【図４】
2020129737.tif 000006
【図５】
2020129737.tif 000007
【図６】
2020129737.tif 000008
【図７】
2020129737.tif 000009
【図８】
2020129737.tif 000010
【図９】
2020129737.tif 000011
【図１０】
2020129737.tif 000012
【図１１】
2020129737.tif 000013
【図１２】
2020129737.tif 000014
【図１３】
2020129737.tif 000015
【図１４】
2020129737.tif 000016
【図１５】
2020129737.tif 000017
【図１６】
2020129737.tif 000018
【図１７】
2020129737.tif 000019
【図１８】
2020129737.tif 000020
【図１９】
2020129737.tif 000021
【図２０】
2020129737.tif 000022
【図２１】
2020129737.tif 000023
【図２２】
2020129737.tif 000024
【図２３】
2020129737.tif 000025
【図２４】
2020129737.tif 000026
【図２５】
2020129737.tif 000027
【図２６】
2020129737.tif 000028
【図２７】
2020129737.tif 000029
【図２８】
2020129737.tif 000030
【図２９】
2020129737.tif 000031
【図３０】
2020129737.tif 000032
【図３１】
2020129737.tif 000033
【図３２】
2020129737.tif 000034
【図３３】
2020129737.tif 000035
【図３４】
2020129737.tif 000036
【図３５】
2020129737.tif 000037
【図３６】
2020129737.tif 000038
【図３７】
2020129737.tif 000039
【図３８】
2020129737.tif 000040
【図３９】
2020129737.tif 000041
【図４０】
2020129737.tif 000042
【図４１】
2020129737.tif 000043
【図４２】
2020129737.tif 000044
【図４３】
2020129737.tif 000045
【図４４】
2020129737.tif 000046
【図４５】
2020129737.tif 000047